(57)【要約】【課題】一端側から出し入れするタイプであって、長い竿管も短い竿管も出し入れの便利な釣竿収納ケースを提供する。【解決手段】一端部に開口部ＫＫを有し、仕舞状態の釣竿をこの一端側から収納させる釣竿収納ケースであって、収納された釣竿を環状に取り囲む環状又は管状の硬質な収容部材１２が、該収容部材よりも柔軟なケース本体１０の内部に配設されており、前記開口部はケース本体の側面に延設された側面開口部ＳＫＫを有し、前記収容部材の上端位置１２Ｅは前記側面開口部の下端近くに位置しており、前記側面開口部を開閉可能に閉塞する側面閉塞手段１０Ｓ’，１４を有し、前記開口部の内、側面閉塞手段によって閉塞された側面開口部以外の残り開口部ＴＫＫを開閉可能に閉じる蓋部材１６を具備するよう構成する。【選択図】図３
2008086220.tif 000002
【特許請求の範囲】
【請求項１】
一端部に開口部（ＫＫ）を有し、仕舞状態の釣竿をこの一端側から収納させる釣竿収納ケースであって、
収納された釣竿を環状に取り囲む環状又は管状の硬質な収容部材（１２）が、該収容部材よりも柔軟なケース本体（１０）の内部に配設されており、
前記開口部はケース本体の側面（１０Ｓ）に延設された側面開口部（ＳＫＫ）を有し、
前記収容部材の上端（１２Ｅ）位置は前記側面開口部の下端近くに位置しており、
前記側面開口部を開閉可能に閉塞する側面閉塞手段（１０Ｓ’，１４）を有し、
前記開口部の内、側面閉塞手段によって閉塞された側面開口部以外の残り開口部（ＴＫＫ）を開閉可能に閉じる蓋部材（１６）を具備する
ことを特徴とする釣竿収納ケース。
【請求項２】
前記側面閉塞手段は、ケース本体の側面に設けたチャック式ファスナー又は面ファスナーを具備している請求項１記載の釣竿収納ケース。
【請求項３】
一端部に開口部を有し、仕舞状態の釣竿をこの一端側から収納させる釣竿収納ケースであって、
収納された釣竿を環状に取り囲む環状又は管状の硬質な収容部材が、該収容部材よりも柔軟なケース本体の内部に配設されており、
前記開口部はケース本体の側面に延設された側面開口部を有し、
前記収容部材の上端位置は前記側面開口部の下端近くに位置しており、
前記開口部を開閉可能に閉じる蓋部材を具備する
ことを特徴とする釣竿収納ケース。
【発明の詳細な説明】
【技術分野】
【０００１】
本発明は、仕舞状態の釣竿を収納して保護したり、運搬したりできる釣竿収納ケースに関する。
【背景技術】
【０００２】
継式釣竿を仕舞状態に短くした釣竿を収納するための釣竿収納ケースがある。これにはケースの側面部をほぼ全長に亘って開閉可能にして、ケースの側方から出し入れするものがある。また、側方からは出し入れできず、細長い筒状ケースの一端部からケースの長手方向に出し入れするものもある。特に、鮎竿等の高級な釣竿では、後者の細長い筒状ケースを使用することが多い。この細長い筒状ケースは、ケース本体の内部に、より硬質なプラスチック部材で形成した管状部材を内挿、配設しており、ケースの一端から長手方向に沿って収納した各竿管を、この硬質な管状部材で保護できるように構成されている。こうした細長い筒状ケースの例が下記特許文献に開示されている。
【特許文献１】特開２００１−１４８９８９号公報
【発明の開示】
【発明が解決しようとする課題】
【０００３】
上記特許文献では、ケース本体（竿袋１）の中に管状部材（筒状のプラスチックケース２）を配設しており、これで内部に収納した釣竿を外部から保護している。然しながら、その管状部材の上端位置はケース本体の上端位置と実質的に一致している。このため、この釣竿収納ケースと同程度の長さの竿管を収納する場合は適するが、或る程度短い竿管を収納した場合は、竿管の頭部が管状部材の中に深く落ち込んでしまい、そのままでは摘み出せない。また、収納されたこの短い竿管は管状部材で囲まれているため、側方からは取り出せない。従って、釣竿収納ケースを逆さまにして、竿管を下方に落とすようにして取り出さなければならなくなり、非常に不便であると共に、振出式釣竿の場合は、内部に収納している、より小径の竿管が大径の竿管内部で落下し、穂先竿では先端部を損傷させる虞もある。
依って解決しようとする課題は、一端側から出し入れするタイプであって、長い竿管も短い竿管も出し入れの便利な釣竿収納ケースを提供する。
【課題を解決するための手段】
【０００４】
第１の発明では、一端部に開口部を有し、仕舞状態の釣竿をこの一端側から収納させる釣竿収納ケースであって、収納された釣竿を環状に取り囲む環状又は管状の硬質な収容部材が、該収容部材よりも柔軟なケース本体の内部に配設されており、前記開口部はケース本体の側面に延設された側面開口部を有し、前記収容部材の上端位置は前記側面開口部の下端近くに位置しており、前記側面開口部を開閉可能に閉塞する側面閉塞手段を有し、前記開口部の内、側面閉塞手段によって閉塞された側面開口部以外の残り開口部を開閉可能に閉じる蓋部材を具備することを特徴とする釣竿収納ケースを提供する。
仕舞状態の釣竿は、振出式の場合は複数本が一本となっており、並継式等の場合は各竿管毎に別々になる場合もある。このように、ここでの釣竿は、１本の竿管等も含む広い意味である。
【０００５】
第２の発明では、前記側面閉塞手段は、ケース本体の側面に設けたチャック式ファスナー又は面ファスナーを具備している第１の発明記載の釣竿収納ケースを提供する。
【０００６】
第３の発明では、一端部に開口部を有し、仕舞状態の釣竿をこの一端側から収納させる釣竿収納ケースであって、収納された釣竿を環状に取り囲む環状又は管状の硬質な収容部材が、該収容部材よりも柔軟なケース本体の内部に配設されており、前記開口部はケース本体の側面に延設された側面開口部を有し、前記収容部材の上端位置は前記側面開口部の下端近くに位置しており、前記開口部を開閉可能に閉じる蓋部材を具備することを特徴とする釣竿収納ケースを提供する。
【発明の効果】
【０００７】
第１の発明では、釣竿を収納すると、それは硬質な収容部材によって囲まれて保護され、一端部から上下方向（長手方向）にのみ出し入れが可能となる。この収容部材の上端位置が、ケース本体の側面に延設された側面開口部の下端近くにあるため、この側面開口部の長さ程度の長さの違う長短の釣竿を収納しても、短い釣竿の頭部は収容部材の上端近くにあり、長い釣竿は突出している。
側面閉塞手段によって側面開口部を開閉可能なため、蓋部材を開いて長い釣竿を出し入れする際に、該側面開口部を閉じておくことができる。この場合、出し入れの対象とする長い釣竿以外に、他の長い釣竿が収納されている場合、側面開口部を閉じているので、この他の長い釣竿が傾いて側面開口部から斜め方向に不用意に突出することを防止でき、再び開口部を閉じる際に、その不用意に突出した釣竿を他方の手で押しやりながら閉じるという不便さを防止できる。更には、短い釣竿を取り出す際には、側面開口部を開口させれば、この釣竿の頭部は収容部材の上端近くにあるため摘み易く、取り出し易い。
【０００８】
第２の発明では、ファスナーで開閉するため、短い釣竿を取り出す際に、側面開口部を簡便、迅速に開口させることができ、また、迅速に閉じることもできる。また、長い釣竿を出し入れする際に、相対的に柔軟なケース本体の側面に設けている側面開口部を閉じたままにでき、開口部の有る一端部領域のケース本体を、その周囲方向に完全に閉じた状態に維持できるため、ケース本体の形状が崩れ難く、開口部が塞がれることなく出し入れの作業が容易となる。
【０００９】
第３の発明では、釣竿を収納すると、それは硬質な収容部材によって囲まれて保護され、一端部から上下方向にのみ出し入れが可能となる。この収容部材の上端位置が、ケース本体の側面に延設された側面開口部の下端近くにあるため、この側面開口部の長さ程度の長さの違う長短の釣竿を収納しても、短い釣竿の頭部は収容部材の上端近くにあり、長い釣竿は突出しているため、長い釣竿は勿論のこと、短い釣竿を収納しても、取り出しに際して釣竿収納ケースを逆さにする必要性が無く、蓋部材を開けば簡便に行える。
【発明を実施するための最良の形態】
【００１０】
以下、本発明を図面を用いて詳細に説明する。図１は本発明に係る釣竿収納ケースの要部斜視図、図２は図１とは異なる状態の斜視図、図３は図１、図２とは異なる他の状態の斜視図、図４は図１の状態の釣竿収納ケースの縦断面図、図５は図３の状態の釣竿収納ケースの縦断面図を示している。相対的に柔軟なプラスチック部材等のケース本体１０を外側とし、その内側には、相対的に硬質なプラスチック部材等による管状の、即ち筒状の収容部材１２が配設されており、その下端はケース本体１０の底（釣竿収納ケースの底）１８に位置し、上端１２Ｅはケース本体１０の上端１０Ｅよりも所定量、下方に位置している。
【００１１】
ケース本体１０の上端部においては、その上端１０Ｅに上端開口部ＴＫＫを有すると共に、この上端開口部と連通し、ケース本体１０の側面１０Ｓに延設された側面開口部ＳＫＫが設けられている。この側面開口部ＳＫＫと上端開口部ＴＫＫとを合わせてケース本体１０の上端部（一端部）の開口部ＫＫであり、釣竿収納ケースの一端部の開口部ＫＫでもある。
【００１２】
この側面開口部ＳＫＫを開閉可能に閉塞する側面閉塞手段は、ケース本体１０の前面となる側面１０Ｓに連結されて、少なくとも外方向に折曲自在であって、側面開口部ＳＫＫを平面的に閉じる広さの矩形状の閉塞部材１０Ｓ’と、その左右縁部にチャック式ファスナー１４を有している。この例では、左右のファスナー１４は引手部材１５によって連結されていて、この引手部材を引くことで側面開口部ＳＫＫを開閉できる。閉じられた場合には、閉塞部材１０Ｓ’はケース本体１０の側面１０Ｓの一部を構成する。前記収容部材１２の上端１２Ｅの位置は、側面開口部ＳＫＫの下端に近い位置であって、この例の場合は、幾分下側である。
【００１３】
また、前記上端開口部ＴＫＫを開閉可能な蓋部材１６がケース本体１０の上端に設けられている。この蓋部材は略矩形状であって、ケース本体１０と同様な柔軟性を有しており、図１に図示する如く、上端開口部を閉じる他、湾曲して外側から閉塞部材１０Ｓ’の少なくとも上部領域に重合する。蓋部材１６の先端部にはロ型の係合部１６Ｋが取り付けられており、一方、ケース本体１０の側面１０Ｓであって、ここでは閉塞部材１０Ｓ’の外側面上に相手側係合部ＫＧが取り付けられている。蓋部材１６を閉じる場合は、係合部１６Ｋと相手側係合部ＫＧとを係合させる。
【００１４】
長い釣竿２０と短い釣竿２２、或いは、これらの間の長さの釣竿を収納しても、何れも容易に取り出せ、また、容易に収納もできる。例えば、長い釣竿２０を収納後に取り出す場合は、閉塞部材１０Ｓ’は閉じた状態であって、蓋部材１６のみを開放させ、長い釣竿２０の上端部を摘んで上端開口部ＴＫＫから容易に上方に引き出せる。また、短い釣竿２２の場合は、この例では収容部材１２の上端１２Ｅよりも幾分低い位置にあるが、閉塞部材１０Ｓ’も開放させて側面開口部ＳＫＫを開口させれば、収容部材の内径と短い釣竿２２の外径との隙間寸法が指先を上回れば、短い釣竿の上端部を摘むことができる。従って、容易に上に引き出せる。収容する場合は、長短何れの釣竿であっても、閉塞部材１０Ｓ’を閉じたままでも、開いた状態でも容易に収容できる。
【００１５】
出し入れの対象とする長い釣竿２０以外に、他の長い釣竿が収納されている場合、側面開口部ＳＫＫを閉じておけば、この他の長い釣竿が傾いて側面開口部から斜め方向に不用意に突出することを防止でき、再び側面開口部を閉じる際に、その不用意に突出した釣竿を他方の手で押し込みながら閉じるという不便さを防止できる。また、長い釣竿２０を出し入れする際に、相対的に柔軟なケース本体１０の側面１０Ｓに設けている側面開口部ＳＫＫを閉じたままにでき、ケース本体の側面開口部ＳＫＫの近くを、その周囲方向に完全に閉じた状態に維持できるため、ケース本体１０の形状、この例では矩形状の断面形状、が崩れ難く、上端開口部ＴＫＫが塞がれないで出し入れの作業が容易となる。
【００１６】
図６は本発明に係る釣竿収納ケースの第２の形態例を示し、図３に対応している。異なる事項を説明する。閉塞部材１０Ｓ’の左右縁部に、チャック式ではなくて面ファスナー１４’を設けたものである。その他の構成や作用効果は第１の形態例と同様である。
【００１７】
図７は本発明に係る釣竿収納ケースの第３の形態例を示し、図２に対応している。異なる事項を説明する。閉塞部材１０Ｓ’に対応する部材は、ケース本体１０の側面１０Ｓそのものであり、幅方向中央を縦に割り、ここにチャック式ファスナー１４を１つ設けている。また、係合部１６Ｋと相手側係合部ＫＧとを、夫々、面ファスナー１４’に変えている。１個のチャック式ファスナーによって側面開口部ＳＫＫを開口させた場合、図３のように広くは開口できないため、短い釣竿を引き出す際では、第１や第２の実施形態例の方が扱い易い。その他の事項は同様である。
【００１８】
図８は本発明に係る釣竿収納ケースの第４の形態例を示している。第１の形態例と対比させた場合、第４の形態は別部材としての閉塞部材１０Ｓ’が無く、蓋部材１６のみで開口部ＫＫ全体を開閉させる。開口部ＫＫは上端開口部ＴＫＫと側面開口部ＳＫＫとから成ること等は同じであり、ケース本体１０の内側に相対的に硬質な収容部材１２が配設され、その上端１２Ｅが側面開口部ＳＫＫの下端近くに位置していること等も同様である。従って、長短各釣竿の出し入れが容易になる。また、開口部を閉じる部材が蓋部材１６一つであるため、低コストな釣竿収納ケースが提供可能となる。ここで特記しない事項は、矛盾のない限り第１の形態例の場合と同様である。
【００１９】
以上説明した収容部材１２は、管状（筒状）であって、上端１２Ｅからケース本体１０の底位置まで上下方向に沿って側面全体が閉じられているが、この管状の部材に代わって環状の部材、即ち、リング状の部材を上下方向の所々に配設してもよい。
【産業上の利用可能性】
【００２０】
本発明は、仕舞状態の釣竿を収納する釣竿収納ケースに利用できる。
【図面の簡単な説明】
【００２１】
【図１】図１は本発明に係る釣竿収納ケースの要部斜視図である。
【図２】図２は図１とは異なる状態の斜視図である。
【図３】図３は図１、図２とは異なる他の状態の斜視図である。
【図４】図４は図１の状態の釣竿収納ケースの縦断面図である。
【図５】図５は図３の状態の釣竿収納ケースの縦断面図を示している。
【図６】図６は本発明に係る釣竿収納ケースの第２の形態例を示し、図３に対応する。
【図７】図７は本発明に係る釣竿収納ケースの第３の形態例を示し、図２に対応する。
【図８】図８は本発明に係る釣竿収納ケースの第４の形態例を示す。
【符号の説明】
【００２２】
１０                        ケース本体
１０Ｓ                      ケース本体側面
１０Ｓ’                    閉塞部材
１２                        収容部材
１４                        チャック式ファスナー
１４’                      面ファスナー
１６                        蓋部材
ＫＫ                        開口部
ＳＫＫ                      側面開口部
【図１】
2008086220.tif 000003
【図２】
2008086220.tif 000004
【図３】
2008086220.tif 000005
【図４】
2008086220.tif 000006
【図５】
2008086220.tif 000007
【図６】
2008086220.tif 000008
【図７】
2008086220.tif 000009
【図８】
2008086220.tif 000010